(57)【特許請求の範囲】
【請求項１】
ソケット取付用開口が車両用内装部品のソケット取付壁に設けられ、微細な毛状体を植毛して成る植毛部が前記ソケット取付壁の外表面の前記ソケット取付用開口の周囲の部分に設けられ、前記ソケット取付用開口に電源ソケットが挿入されていると共に、
前記電源ソケットには、前記ソケット取付壁の外表面に臨むフランジおよび前記ソケット取付壁の裏面に係合可能に臨む係止片が設けられている電源ソケット取付構造であって、
前記毛状体の植毛高さより僅かに高い寸法で且つ前記フランジの裏面に当接する係合突部が前記ソケット取付壁の外表面の前記フランジの裏面に臨む部分に設けられ、前記植毛部が前記フランジの裏面に対向する部分まで設けられ、
前記係合突部は前記ソケット取付壁の外表面の前記ソケット取付用開口の周縁部に沿って設けられた環状リブであり、
前記係止片の係合部が前記ソケット取付用開口の周縁部に弾接させられていることを特徴とする電源ソケット取付構造。
【発明の詳細な説明】
【技術分野】
【０００１】
この発明は、電源ソケット取付構造に関するものである。
【背景技術】
【０００２】
従来、例えば自動車等の車両においては、図４，図５(a)に示したように、インストルメントパネルやセンターコンソールのパネル等の車両用内装部品１に設けられたソケット取付壁１ａにソケット取付用開口２を設けて、このソケット取付用開口２にシガライター用の電源ソケット３を取り付けたものが知られている（特許文献１参照）。
【０００３】
尚、図５（ａ），図５（ｂ）において、Ａは電源ソケット３に挿入して利用するシガライターの加熱プラグである。この電源ソケット３にシガライターの加熱プラグＡを挿入して所定量押し込むことで、加熱プラグＡの先端部（図示略）が電源ソケット３に導通されて加熱されるようになっている。この加熱プラグＡおよび電源ソケット３の内部構造には、周知の構造を採用できるので、その詳細な図示及び説明は省略する。以下、この発明に関わる部分について説明する。
【０００４】
この図５（ｂ）に示した電源ソケット３では、ソケット本体３ａの開口端にフランジ４を設けると共に、ソケット本体３ａのフランジ４近傍の部分に周面から外方に突出する係止片５を設けている。この図５（ｂ）に示した係止片５の自由端部には、ソケット取付用開口２の内周面に係合する係合部５ａと、この係合部５ａに連設されてフランジ４との間でソケット取付壁１ａの内外面を挟む係止面５ｂが設けられている。
【０００５】
また、電源ソケット３のソケット本体３ａはソケット取付用開口２に挿入され、このソケット本体３ａのフランジ４はソケット取付壁１ａの外表面に当接させられている。更に、係止片５の係合部５ａはソケット取付用開口２の内周面に弾接させられ、係止面５ｂがソケット取付壁１ａの裏面に係合されている。このような構造により、電源ソケット３は、ソケット取付壁１ａのソケット取付用開口２に取り付けられている。
【先行技術文献】
【特許文献】
【０００６】
【特許文献１】特開平０９−３０９３７１号公報
【発明の概要】
【発明が解決しようとする課題】
【０００７】
ところで、このような電源ソケット３が取り付けられる車両用内装部品１には、図５（ｂ）に示したように、ソケット取付壁１ａの外表面に微細な毛状体を植毛してなる植毛部６を設けて、見栄えを良くしたものも知られている。
【０００８】
このような植毛処理が施された車両用内装部品１のソケット取付用開口２に上述したソケット取付構造で電源ソケット３のソケット本体３ａを取り付けた場合、フランジ４の周縁と植毛部６との間に植毛されていない部分が生じると、見栄えが損なわれる。
【０００９】
一方、見栄えが損なわれないようにするために、フランジ４の外周面ぎりぎりの位置まで植毛部６を設けるようにしているが、植毛部６をフランジ４の外周縁の位置まで正確に形成するのは難しかった。
【００１０】
そのため、仮にフランジ４がソケット取付壁１ａに当接する部分まで植毛部６が設けられてしまうと、フランジ４が当接する部分に植毛部が挟持されることになり、挟持された植毛部６の毛状体の起毛状態が経年変化により腰が弱くなると、図５（ｂ）に示したように、係止面５ｂとソケット取付壁１ａとの間に植毛部６の倒れによる隙間Ｓが生じて、ガタツキが生じる虞がある。よって、ソケット本体３ａのフランジ４が当接する部分には植毛されないのが望ましい。
【００１１】
このため、図６に示したように、ソケット取付壁１ａのソケット取付用開口２の周囲の部分で且つソケット本体３ａのフランジ４が当接させられる部分にマスク７をして、ソケット取付壁１ａの外表面に植毛処理を施すことにより、ソケット取付壁１ａのソケット取付用開口２の周囲にフランジ４が当接させられる非植毛部を設けている。
【００１２】
しかしながら、ソケット本体３ａのフランジ４の寸法やソケット本体３ａのソケット取付用開口２への取付精度等にはバラツキがあると共に、ソケット取付用開口２の周囲に設ける非植毛部の範囲もバラツキが生じる。このため、ソケット本体３ａをソケット取付壁１ａのソケット取付用開口２に取り付けたときに、フランジ４が当接する部分に植毛部６がかからないようにすると共に、フランジ４の周縁と植毛部６との間に植毛されていない部分が生じないようにすることが難しいものであった。
【００１３】
そこで、この発明は、ソケット本体のフランジ周縁と植毛部との間に見栄えの損なわれる部分が生ぜず、ソケット本体がパネルのソケット取付用開口にガタ付き無く取り付けることができる電源ソケット取付構造を提供することを目的とするものである。
【課題を解決するための手段】
【００１４】
この目的を達成するため、本発明は、ソケット取付用開口が車両用内装部品のソケット取付壁に設けられ、微細な毛状体を植毛して成る植毛部が前記ソケット取付壁の外表面の前記ソケット取付用開口の周囲の部分に設けられ、前記ソケット取付用開口に電源ソケットが挿入されていると共に、前記電源ソケットには前記ソケット取付壁の外表面に臨むフランジおよび前記ソケット取付壁の裏面に係合可能に臨む係止片が設けられている電源ソケット取付構造であって、前記毛状体の植毛高さより僅かに高い寸法で且つ前記フランジの裏面に当接する係合突部が前記ソケット取付壁の外表面の前記フランジの裏面に臨む部分に設けられ、前記植毛部が前記フランジの裏面に対向する部分まで設けられている。
前記係合突部は前記ソケット取付壁の外表面の前記ソケット取付用開口の周縁部に沿って設けられた環状リブである。前記係止片の係合部が前記ソケット取付用開口の周縁部に弾接させられていることを特徴とする。
【発明の効果】
【００１５】
この構成によれば、ソケット本体のフランジ周縁と植毛部との間に見栄えの損なわれる部分が生ぜず、ソケット本体がパネルのソケット取付用開口にガタ付き無く取り付けることができる。
【図面の簡単な説明】
【００１６】
【図１】この発明に係る電源ソケット取付構造のソケット取付用開口が設けられた車両用内装部品の部分正面図である。
【図２】（ａ）は図１のソケット取付用開口に電源ソケットが取り付けられた状態のＢ１−Ｂ１線に沿う断面図、（ｂ）は（ａ）の部分拡大説明図である。
【図３】図２（ａ）のソケット取付壁に植毛処理を施す説明図である。
【図４】従来の電源ソケット取付構造のソケット取付用開口が設けられた車両用内装部品の部分正面図である。
【図５】（ａ）は図４のソケット取付用開口に電源ソケットが取り付けられた状態のＡ１−Ａ１線に沿う断面図、（ｂ）は（ａ）の部分拡大説明図である。
【図６】図５（ａ）のソケット取付壁に植毛処理を施す説明図である。
【発明を実施するための形態】
【００１７】
以下、本発明の電源ソケット取付構造に係る実施形態について、図面を参照して説明する。
[構成]
図１は、この発明に係る電源ソケット取付構造のソケット取付用開口が設けられた車両用内装部品の部分正面図である。また、図２（ａ）は図１のソケット取付用開口に電源ソケットが取り付けられた状態の断面図、図２（ｂ）は図２（ａ）の部分拡大説明図である。図３は、図２（ａ）のソケット取付壁に植毛処理を施す説明図である。
【００１８】
図１おいて、１はインストルメントパネルやセンターコンソールのパネル等の車両用内装部品１に設けられたソケット取付壁１ａである。このソケット取付壁１ａは車両用内装部品１の表面の窪み１ｂ内に設けられ、この窪み１ｂにはヒンジＨを介して開閉可能なカバーＣが開閉可能に都立得られている  。
【００１９】
このソケット取付壁１ａには、図１，図２（ａ）に示したようにソケット取付用開口２が設けられている。このソケット取付用開口２には、シガライターや車載電子機器用の電源ソケット３が取り付けられている。この電源ソケット３としてはＵＳＢコネクタであっても良いが、本実施例では電源ソケット３をシガライターの電源ソケットとしている。尚、電源ソケットがＵＳＢコネクタの場合には、この電源ソケットを携帯電話等の充電等に用いることができる。
【００２０】
尚、図２（ａ）、図２（ｂ）において、Ａは電源ソケット３に挿入して利用するシガライターの加熱プラグである。この電源ソケット３にシガライターの加熱プラグＡを挿入して所定量押し込むことで、加熱プラグＡの先端部（図示略）が電源ソケット３に導通されて加熱されるようになっている。この加熱プラグＡおよび電源ソケット３の内部構造には、周知の構造を採用できるので、その詳細な図示及び説明は省略する。以下、この発明に関わる部分について説明する。
【００２１】
電源ソケット３は、ソケット取付用開口２に外表面側から挿入されるソケット本体３ａと、このソケット本体３ａ内に嵌着された導電性の金属筒体３ｂを有する。このソケット本体３ａは絶縁性の樹脂製から有底筒状に形成されていて、このソケット本体３ａの開口端にはソケット取付壁１ａの外表面側に臨むフランジ４（外周フランジ）が設けられている。
【００２２】
このソケット本体３ａの開口端近傍の部分には、周面から突出する係止片５が設けられている。この係止片５は半径方向に弾性変形させることが出来るように設けられている。この係止片５の自由端部には、ソケット取付用開口２の内周面に係合させられる係合部５ａと、この係合部５ａに連設されてフランジ４との間で挟持可能な係止面（係止部）５ｂが設けられている。
【００２３】
そして、実施例では、ソケット取付壁１ａの外表面には、ソケット取付用開口２の周縁に沿って環状に延びる環状リブ１０をフランジ係合突部として設けるようにしている。更に、ソケット取付壁１ａの外表面には、微細な毛状体を植毛して成る植毛部１１が設けられている。
【００２４】
この植毛部１１は、図３に示したように、環状リブ１０上にソケット取付用開口２を覆うようにマスク１２を設置して、ソケット取付壁１ａの外表面に周知の静電植毛技術により微細な毛状体（微細繊維）を植毛することにより形成したものである。このマスク１２の径は、環状リブ１０の外径と同じかそれよりも若干大きく、フランジ４の径よりも小さい値に設定されている。
【００２５】
このマスク１２を用いて形成された植毛部１１は、ソケット取付壁１ａの外表面の環状リブ１０の近傍の部分まで設けることにより、環状リブ１０側の縁部（終端縁部）がフランジ４と重なる重なり部１１ａを形成する。この重なり１１ａは、フランジ４の周縁と植毛部１１の内周縁（環状リブ１０側の終端縁）との間の重なり範囲Ｌの部分に対応する。
【００２６】
尚、植毛部１１は、車両用内装部品１のソケット取付壁１ａにおける外表面の露出部全体に設けられる。
【００２７】
しかも、環状リブ１０は、植毛部１１の毛状体の植毛高さ（植毛長さ）より僅かに高い寸法（植毛部１１に対して挟み込みが生じないぎりぎりの高さ）で且つフランジ４の裏面に臨むように形成されている。また、植毛部１１は、フランジ４の裏面に対向する部分まで設けられている。
[作用]
次に、このような電源ソケット取付構造の作用を説明する。
【００２８】
上述した電源ソケット３のソケット本体３ａをソケット取付用開口２にソケット取付壁１ａの外表面側から挿入して、このソケット本体３ａのフランジ４をソケット取付壁１ａの環状リブ１０の先端に当接させる。この挿入に伴い、係止片５の係合部５ａが係止片５の弾性力によりソケット取付用開口２の内周面に係合（弾接）させられて、係合部５ａがソケット取付用開口２の内周面に摩擦保持される。
【００２９】
また、これに伴い、係止片５の係止面５ｂがソケット取付壁１ａの裏面に係合可能に臨ませられる。この際、係止面５ｂとソケット取付壁１ａの裏面との間には、植毛部１１の植毛高さ（植毛長さ）よりも充分に小さい寸法（例えば、章句も産１１の高さの半分以下の寸法）の隙間Ｓ１が形成される。この隙間Ｓ１は、従来の植毛部６の倒れによる隙間Ｓと比べて極僅かなものであり、ガタツキ防止に必要な許容寸法内に設定されている。
【００３０】
このような電源ソケットの取付構造では、ソケット取付壁１ａに設けたソケット取付用開口２にソケット本体３ａを挿入するのみで、ソケット本体３ａをソケット取付用開口２に簡易に装着できる。
【００３１】
また、ソケット本体３ａをソケット取付用開口２に取り付けたときに、植毛部１１は環状リブ１０側の縁部（終端部）がフランジ４と重なるように設けられているので、環状リブ１０の周縁と植毛部１１との間に非植毛部が露出することがない。しかも、植毛部１１のフランジ４への重なり部１１ａにフランジ４が当たることはないので、植毛部１１の重なり部１１ａがフランジ４から圧力を受けて倒れるようなことはなく、植毛部１１の経年劣化があっても隙間Ｓ１は変化しない。
【００３２】
[発明の実施の形態の作用・効果]
以上説明した発明の実施の形態の電源ソケット取付構造の作用・効果を以下に説明する。
（１）．この発明の実施の形態の電源ソケット取付構造においては、ソケット取付用開口２が車両用内装部品１のソケット取付壁１ａに設けられ、微細な毛状体を植毛して成る植毛部１１が前記ソケット取付壁１ａの外表面の前記ソケット取付用開口２の周囲の部分に設けられ、前記ソケット取付用開口２に電源ソケット３が挿入固定されている。この前記電源ソケット３には、前記ソケット取付壁１ａの外表面に臨むフランジ４および前記ソケット取付壁１ａの裏面に係合可能に臨む係止片５が設けられている。しかも、この電源ソケット取付構造においては、前記毛状体１１の植毛高さより僅かに高い寸法で且つ前記フランジ４の裏面に当接する係合突部（環状リブ１０）が前記ソケット取付壁１ａの外表面の前記フランジ４の裏面に臨む部分に設けられ、前記植毛部１１が前記フランジ４の裏面に対向する部分まで設けられている。
【００３３】
この構成によれば、ソケット本体３ａのフランジ４周縁と植毛部１１との間に見栄えの損なわれる部分が生ぜず、ソケット本体がパネルのソケット取付用開口２にガタ付き無く取り付けることができる。
（２）．また、この発明の実施の形態の電源ソケット取付構造において、前記係合突部は前記ソケット取付壁１ａの外表面の前記ソケット取付用開口２の周縁部に沿って設けられた環状リブ１０である。
【００３４】
この構成によれば、ソケット本体３ａのフランジ４を周方向全体で支持できる。
【符号の説明】
【００３５】
１ 車両用内装部品
１ａ ソケット取付壁
２ ソケット取付用開口
３ 電源ソケット
３ａ ソケット本体
３ｂ 金属筒体
４ フランジ
５ 係止片
５ 係止面
５ｂ 係止面
１０ 環状リブ
１１ 植毛部
１１ａ 重なり部
１２ マスク
Ｌ 重なり範囲
【図１】
0006053024.tif 000002
【図２】
0006053024.tif 000003
【図３】
0006053024.tif 000004
【図４】
0006053024.tif 000005
【図５】
0006053024.tif 000006
【図６】
0006053024.tif 000007